(57)【要約】【課題】デジタルコンテンツ画像の不正利用を防止しながらも、そのフリーテキストデータを携帯電話端末などで簡単に編集処理できるファイルサーバ装置を提供する。【解決手段】ファイルサーバ装置１００は、デジタルコンテンツデータＤＣＤを保存し、そのフリーテキストデータＦＴＤの編集処理に必要な編集管理データＥＭＤを抽出する。デジタルコンテンツデータＤＣＤを編集不能なデジタルコンテンツ画像ＤＣＰに変換し、携帯電話端末３００からのデータ閲覧要求ＤＰＲに対応してデジタルコンテンツ画像ＤＣＰをストリーミング配信し、その編集処理要求ＥＣＲを受信すると対応したフリーテキストデータＦＴＤを返信する。編集処理されたフリーテキストデータＦＴＤを編集管理データＥＭＤとともに受信すると、デジタルコンテンツデータＤＣＤとデジタルコンテンツ画像ＤＣＰと編集管理データＥＭＤを編集処理する。【選択図】図１
2011008690.tif 000002
【特許請求の範囲】
【請求項１】
携帯データ端末と相互通信するファイルサーバ装置であって、
編集自在なフリーテキストデータを内包したデジタルコンテンツデータを保存するコンテンツ保存手段と、
保存される前記デジタルコンテンツデータから前記フリーテキストデータの編集処理に必要な所定の編集管理データを抽出する編集抽出手段と、
保存される前記デジタルコンテンツデータを前記携帯データ端末では編集不能なデジタルコンテンツ画像に変換するコンテンツ変換手段と、
変換された前記デジタルコンテンツ画像と抽出された前記編集管理データとを前記デジタルコンテンツデータごとに保持するデータ保持手段と、
前記携帯データ端末から前記デジタルコンテンツデータのデータ閲覧要求を受信する閲覧受信手段と、
受信された前記データ閲覧要求に対応して前記デジタルコンテンツ画像を読み出すコンテンツ読出手段と、
読み出された前記デジタルコンテンツ画像を前記携帯データ端末にストリーミング配信する画像配信手段と、
ストリーミング配信している前記デジタルコンテンツ画像に内包されている前記フリーテキストデータへの編集処理要求を前記編集管理データにより前記携帯データ端末から受信する編集受信手段と、
受信された前記編集処理要求の前記編集管理データに対応した前記フリーテキストデータを前記携帯データ端末に返信する編集返信手段と、
返信して編集処理された前記フリーテキストデータを前記編集処理に対応した前記編集管理データとともに受信するテキスト受信手段と、
受信に対応して保存されている前記デジタルコンテンツデータと前記デジタルコンテンツ画像と前記編集管理データとを編集処理するデータ同期手段と、
を有するファイルサーバ装置。
【請求項２】
携帯データ端末と相互通信するファイルサーバ装置であって、
編集自在なフリーテキストデータを内包したデジタルコンテンツデータを保存するコンテンツ保存手段と、
保存される前記デジタルコンテンツデータから前記フリーテキストデータの編集処理に必要な所定の編集管理データを抽出する編集抽出手段と、
抽出された前記編集管理データを前記デジタルコンテンツデータごとに保持する編集管理手段と、
前記携帯データ端末から前記デジタルコンテンツデータのデータ閲覧要求を受信する閲覧受信手段と、
受信された前記データ閲覧要求に対応して前記デジタルコンテンツデータを読み出すコンテンツ読出手段と、
読み出された前記デジタルコンテンツデータを前記携帯データ端末では編集不能なデジタルコンテンツ画像に変換するコンテンツ変換手段と、
変換された前記デジタルコンテンツ画像を前記携帯データ端末にストリーミング配信する画像配信手段と、
ストリーミング配信している前記デジタルコンテンツ画像に内包されている前記フリーテキストデータへの編集処理要求を前記編集管理データにより前記携帯データ端末から受信する編集受信手段と、
受信された前記編集処理要求の前記編集管理データに対応した前記フリーテキストデータを前記携帯データ端末に返信する編集返信手段と、
返信して編集処理された前記フリーテキストデータを前記編集処理に対応した前記編集管理データとともに受信するテキスト受信手段と、
受信に対応して保存されている前記デジタルコンテンツデータと前記デジタルコンテンツ画像と前記編集管理データとを編集処理するデータ同期手段と、
を有するファイルサーバ装置。
【請求項３】
前記画像配信手段は、編集処理された前記デジタルコンテンツ画像を再送する請求項１または２に記載のファイルサーバ装置。
【請求項４】
前記画像配信手段は、前記デジタルコンテンツ画像とともに前記編集管理データの少なくとも一部も前記携帯データ端末に送信し、
前記編集受信手段は、送信した前記編集管理データにより前記編集処理要求を前記携帯データ端末から受信する請求項１ないし３の何れか一項に記載のファイルサーバ装置。
【請求項５】
携帯データ端末と相互通信するファイルサーバ装置のコンピュータプログラムであって、
編集自在なフリーテキストデータを内包したデジタルコンテンツデータを保存するコンテンツ保存処理と、
保存される前記デジタルコンテンツデータから前記フリーテキストデータの編集処理に必要な所定の編集管理データを抽出する編集抽出処理と、
保存される前記デジタルコンテンツデータを前記携帯データ端末では編集不能なデジタルコンテンツ画像に変換するコンテンツ変換処理と、
変換された前記デジタルコンテンツ画像と抽出された前記編集管理データとを前記デジタルコンテンツデータごとに保持するデータ保持処理と、
前記携帯データ端末から前記デジタルコンテンツデータのデータ閲覧要求を受信する閲覧受信処理と、
受信された前記データ閲覧要求に対応して前記デジタルコンテンツ画像を読み出すコンテンツ読出処理と、
読み出された前記デジタルコンテンツ画像を前記携帯データ端末にストリーミング配信する画像配信処理と、
ストリーミング配信している前記デジタルコンテンツ画像に内包されている前記フリーテキストデータへの編集処理要求を前記編集管理データにより前記携帯データ端末から受信する編集受信処理と、
受信された前記編集処理要求の前記編集管理データに対応した前記フリーテキストデータを前記携帯データ端末に返信する編集返信処理と、
返信して編集処理された前記フリーテキストデータを前記編集処理に対応した前記編集管理データとともに受信するテキスト受信処理と、
受信に対応して保存されている前記デジタルコンテンツデータと前記デジタルコンテンツ画像と前記編集管理データとを編集処理するデータ同期処理と、
をファイルサーバ装置に実行させるコンピュータプログラム。
【請求項６】
携帯データ端末と相互通信するファイルサーバ装置のコンピュータプログラムであって、
編集自在なフリーテキストデータを内包したデジタルコンテンツデータを保存するコンテンツ保存処理と、
保存される前記デジタルコンテンツデータから前記フリーテキストデータの編集処理に必要な所定の編集管理データを抽出する編集抽出処理と、
抽出された前記編集管理データを前記デジタルコンテンツデータごとに保持する編集管理処理と、
前記携帯データ端末から前記デジタルコンテンツデータのデータ閲覧要求を受信する閲覧受信処理と、
受信された前記データ閲覧要求に対応して前記デジタルコンテンツデータを読み出すコンテンツ読出処理と、
読み出された前記デジタルコンテンツデータを前記携帯データ端末では編集不能なデジタルコンテンツ画像に変換するコンテンツ変換処理と、
変換された前記デジタルコンテンツ画像を前記携帯データ端末にストリーミング配信する画像配信処理と、
ストリーミング配信している前記デジタルコンテンツ画像に内包されている前記フリーテキストデータへの編集処理要求を前記編集管理データにより前記携帯データ端末から受信する編集受信処理と、
受信された前記編集処理要求の前記編集管理データに対応した前記フリーテキストデータを前記携帯データ端末に返信する編集返信処理と、
返信して編集処理された前記フリーテキストデータを前記編集処理に対応した前記編集管理データとともに受信するテキスト受信処理と、
受信に対応して保存されている前記デジタルコンテンツデータと前記デジタルコンテンツ画像と前記編集管理データとを編集処理するデータ同期処理と、
をファイルサーバ装置に実行させるコンピュータプログラム。
【請求項７】
携帯データ端末と相互通信するファイルサーバ装置のデータ処理方法であって、
編集自在なフリーテキストデータを内包したデジタルコンテンツデータを保存するコンテンツ保存動作と、
保存される前記デジタルコンテンツデータから前記フリーテキストデータの編集処理に必要な所定の編集管理データを抽出する編集抽出動作と、
保存される前記デジタルコンテンツデータを前記携帯データ端末では編集不能なデジタルコンテンツ画像に変換するコンテンツ変換動作と、
変換された前記デジタルコンテンツ画像と抽出された前記編集管理データとを前記デジタルコンテンツデータごとに保持するデータ保持動作と、
前記携帯データ端末から前記デジタルコンテンツデータのデータ閲覧要求を受信する閲覧受信動作と、
受信された前記データ閲覧要求に対応して前記デジタルコンテンツ画像を読み出すコンテンツ読出動作と、
読み出された前記デジタルコンテンツ画像を前記携帯データ端末にストリーミング配信する画像配信動作と、
ストリーミング配信している前記デジタルコンテンツ画像に内包されている前記フリーテキストデータへの編集処理要求を前記編集管理データにより前記携帯データ端末から受信する編集受信動作と、
受信された前記編集処理要求の前記編集管理データに対応した前記フリーテキストデータを前記携帯データ端末に返信する編集返信動作と、
返信して編集処理された前記フリーテキストデータを前記編集処理に対応した前記編集管理データとともに受信するテキスト受信動作と、
受信に対応して保存されている前記デジタルコンテンツデータと前記デジタルコンテンツ画像と前記編集管理データとを編集処理するデータ同期動作と、
を有するデータ処理方法。
【請求項８】
携帯データ端末と相互通信するファイルサーバ装置のデータ処理方法であって、
編集自在なフリーテキストデータを内包したデジタルコンテンツデータを保存するコンテンツ保存動作と、
保存される前記デジタルコンテンツデータから前記フリーテキストデータの編集処理に必要な所定の編集管理データを抽出する編集抽出動作と、
抽出された前記編集管理データを前記デジタルコンテンツデータごとに保持する編集管理動作と、
前記携帯データ端末から前記デジタルコンテンツデータのデータ閲覧要求を受信する閲覧受信動作と、
受信された前記データ閲覧要求に対応して前記デジタルコンテンツデータを読み出すコンテンツ読出動作と、
読み出された前記デジタルコンテンツデータを前記携帯データ端末では編集不能なデジタルコンテンツ画像に変換するコンテンツ変換動作と、
変換された前記デジタルコンテンツ画像を前記携帯データ端末にストリーミング配信する画像配信動作と、
ストリーミング配信している前記デジタルコンテンツ画像に内包されている前記フリーテキストデータへの編集処理要求を前記編集管理データにより前記携帯データ端末から受信する編集受信動作と、
受信された前記編集処理要求の前記編集管理データに対応した前記フリーテキストデータを前記携帯データ端末に返信する編集返信動作と、
返信して編集処理された前記フリーテキストデータを前記編集処理に対応した前記編集管理データとともに受信するテキスト受信動作と、
受信に対応して保存されている前記デジタルコンテンツデータと前記デジタルコンテンツ画像と前記編集管理データとを編集処理するデータ同期動作と、
を有するデータ処理方法。
【発明の詳細な説明】
【技術分野】
【０００１】
本発明は、携帯電話端末などの携帯データ端末と相互通信するファイルサーバ装置に関し、特に、デジタルコンテンツデータを編集不能な画像形式に変換して携帯データ端末にストリーミング配信するファイルサーバ装置、そのコンピュータプログラムおよびデータ処理方法、に関する。
【背景技術】
【０００２】
現在、携帯電話端末などの携帯データ端末と相互通信するファイルサーバ装置が各種業務などで利用されている。その場合、ファイルサーバ装置が携帯データ端末に提供するデジタルコンテンツデータの不正利用を防止する工夫がされている。
【０００３】
例えば、このようなファイルサーバ装置は、編集自在なフリーテキストデータを内包したデジタルコンテンツデータを保存する。保存されるデジタルコンテンツデータを携帯データ端末では編集不能なＪＰＥＧ(Joint Photographic Coding Experts Group)などのデジタルコンテンツ画像に変換する。変換されたデジタルコンテンツ画像はデジタルコンテンツデータごとに保持される。
【０００４】
このような状態で、例えば、ファイルサーバ装置が携帯データ端末からデジタルコンテンツデータのデータ閲覧要求を受信すると、受信されたデータ閲覧要求に対応してデジタルコンテンツ画像を読み出す。読み出されたデジタルコンテンツ画像は携帯データ端末にストリーミング配信される。
【０００５】
従って、いわゆる携帯電話端末などの簡易な携帯データ端末でも、複雑なデジタルコンテンツデータをデジタルコンテンツ画像として閲覧することができる。デジタルコンテンツ画像は携帯データ端末で編集処理できない画像形式でストリーミング配信されるので、その携帯データ端末での不正利用が良好に防止される。
【０００６】
例えば、テキストデータやイメージデータ等のような異なるデータ形式のページを含む文書データを一括管理し、文書の修正時にも簡単、迅速に対応し得る文書データの一括管理方法および文書作成装置の出願がある。
【０００７】
その発明では、文書作成時に設定された文書名および文書フォーマットは文書情報フォーマット欄に登録される。また、入力時にページ単位で「すべて文字データ」、「文字データ＋図形」、「すべて画像データ」、「画像＋文字データ」の何れかの入力データ形式を指定し、指定に応じて所定のデータ区分に判別コードを登録すると共に管理情報領域にテキストデータの記憶アドレスや画像データの記憶アドレス等の管理情報を登録する。
【０００８】
これにより、文字データ、画像データ等を一括管理することができるので、修正時に文字、画像、図形等が混在するページや文書から所望のページを読み出して表示し、簡単に修正することができる（例えば、特許文献１参照）。
【０００９】
また、文字と画像等、特性が異なる領域が混在するイメージを圧縮して保存する場合に、特性の異なる領域を適切に分割し、それぞれの領域ごとに処理することのできる画像処理装置も出願されている。
【００１０】
その発明では、画像のデータを、複数のレイヤに分割し、レイヤごとに異なる方式で圧縮した後、画像のデータを一のファイルとして保存する画像処理装置において、複数のレイヤの一つである文字のレイヤを編集する文字レイヤの編集手段と、画像の初期状態のイメージ、確定前の画像のイメージ、および、確定前の複数のレイヤごとのイメージを表示する表示手段とを有し、表示手段は、確定前の画像が更新されるごとに、表示を更新する（例えば、特許文献２参照）。
【先行技術文献】
【特許文献】
【００１１】
【特許文献１】特開２００１−０４３２１１号公報
【特許文献２】特開２００７−１８４８４２号公報
【発明の概要】
【発明が解決しようとする課題】
【００１２】
上述のようにファイルサーバ装置がデジタルコンテンツデータを編集不能なデジタルコンテンツ画像に変換して携帯データ端末にストリーミング配信すれば、その不正利用は良好に防止される。
【００１３】
しかし、このように携帯データ端末でデジタルコンテンツ画像が適正に閲覧されているときに、そのフリーテキストデータを適正に編集処理したいことがある。だが、上述のようにデジタルコンテンツデータは編集不能なＪＰＥＧなどのデジタルコンテンツ画像に変換されているので、そのフリーテキストデータを携帯データ端末で適正に編集処理することができない。
【００１４】
本発明は上述のような課題に鑑みてなされたものであり、デジタルコンテンツ画像の不正利用を防止しながらも、デジタルコンテンツデータのフリーテキストデータを携帯データ端末で簡単に編集処理することができるようにするファイルサーバ装置、そのコンピュータプログラムおよびデータ処理方法、を提供するものである。
【課題を解決するための手段】
【００１５】
本発明の第一のファイルサーバ装置は、携帯データ端末と相互通信するファイルサーバ装置であって、編集自在なフリーテキストデータを内包したデジタルコンテンツデータを保存するコンテンツ保存手段と、保存されるデジタルコンテンツデータからフリーテキストデータの編集処理に必要な所定の編集管理データを抽出する編集抽出手段と、保存されるデジタルコンテンツデータを携帯データ端末では編集不能なデジタルコンテンツ画像に変換するコンテンツ変換手段と、変換されたデジタルコンテンツ画像と抽出された編集管理データとをデジタルコンテンツデータごとに保持するデータ保持手段と、携帯データ端末からデジタルコンテンツデータのデータ閲覧要求を受信する閲覧受信手段と、受信されたデータ閲覧要求に対応してデジタルコンテンツ画像を読み出すコンテンツ読出手段と、読み出されたデジタルコンテンツ画像を携帯データ端末にストリーミング配信する画像配信手段と、ストリーミング配信しているデジタルコンテンツ画像に内包されているフリーテキストデータへの編集処理要求を編集管理データにより携帯データ端末から受信する編集受信手段と、受信された編集処理要求の編集管理データに対応したフリーテキストデータを携帯データ端末に返信する編集返信手段と、返信して編集処理されたフリーテキストデータを編集処理に対応した編集管理データとともに受信するテキスト受信手段と、受信に対応して保存されているデジタルコンテンツデータとデジタルコンテンツ画像と編集管理データとを編集処理するデータ同期手段と、を有する。
【００１６】
本発明の第二のファイルサーバ装置は、携帯データ端末と相互通信するファイルサーバ装置であって、編集自在なフリーテキストデータを内包したデジタルコンテンツデータを保存するコンテンツ保存手段と、保存されるデジタルコンテンツデータからフリーテキストデータの編集処理に必要な所定の編集管理データを抽出する編集抽出手段と、抽出された編集管理データをデジタルコンテンツデータごとに保持する編集管理手段と、携帯データ端末からデジタルコンテンツデータのデータ閲覧要求を受信する閲覧受信手段と、受信されたデータ閲覧要求に対応してデジタルコンテンツデータを読み出すコンテンツ読出手段と、読み出されたデジタルコンテンツデータを携帯データ端末では編集不能なデジタルコンテンツ画像に変換するコンテンツ変換手段と、変換されたデジタルコンテンツ画像を携帯データ端末にストリーミング配信する画像配信手段と、ストリーミング配信しているデジタルコンテンツ画像に内包されているフリーテキストデータへの編集処理要求を編集管理データにより携帯データ端末から受信する編集受信手段と、受信された編集処理要求の編集管理データに対応したフリーテキストデータを携帯データ端末に返信する編集返信手段と、返信して編集処理されたフリーテキストデータを編集処理に対応した編集管理データとともに受信するテキスト受信手段と、受信に対応して保存されているデジタルコンテンツデータとデジタルコンテンツ画像と編集管理データとを編集処理するデータ同期手段と、を有する。
【００１７】
本発明の第一のコンピュータプログラムは、携帯データ端末と相互通信するファイルサーバ装置のコンピュータプログラムであって、編集自在なフリーテキストデータを内包したデジタルコンテンツデータを保存するコンテンツ保存処理と、保存されるデジタルコンテンツデータからフリーテキストデータの編集処理に必要な所定の編集管理データを抽出する編集抽出処理と、保存されるデジタルコンテンツデータを携帯データ端末では編集不能なデジタルコンテンツ画像に変換するコンテンツ変換処理と、変換されたデジタルコンテンツ画像と抽出された編集管理データとをデジタルコンテンツデータごとに保持するデータ保持処理と、携帯データ端末からデジタルコンテンツデータのデータ閲覧要求を受信する閲覧受信処理と、受信されたデータ閲覧要求に対応してデジタルコンテンツ画像を読み出すコンテンツ読出処理と、読み出されたデジタルコンテンツ画像を携帯データ端末にストリーミング配信する画像配信処理と、ストリーミング配信しているデジタルコンテンツ画像に内包されているフリーテキストデータへの編集処理要求を編集管理データにより携帯データ端末から受信する編集受信処理と、受信された編集処理要求の編集管理データに対応したフリーテキストデータを携帯データ端末に返信する編集返信処理と、返信して編集処理されたフリーテキストデータを編集処理に対応した編集管理データとともに受信するテキスト受信処理と、受信に対応して保存されているデジタルコンテンツデータとデジタルコンテンツ画像と編集管理データとを編集処理するデータ同期処理と、をファイルサーバ装置に実行させる。
【００１８】
本発明の第二のコンピュータプログラムは、携帯データ端末と相互通信するファイルサーバ装置のコンピュータプログラムであって、編集自在なフリーテキストデータを内包したデジタルコンテンツデータを保存するコンテンツ保存処理と、保存されるデジタルコンテンツデータからフリーテキストデータの編集処理に必要な所定の編集管理データを抽出する編集抽出処理と、抽出された編集管理データをデジタルコンテンツデータごとに保持する編集管理処理と、携帯データ端末からデジタルコンテンツデータのデータ閲覧要求を受信する閲覧受信処理と、受信されたデータ閲覧要求に対応してデジタルコンテンツデータを読み出すコンテンツ読出処理と、読み出されたデジタルコンテンツデータを携帯データ端末では編集不能なデジタルコンテンツ画像に変換するコンテンツ変換処理と、変換されたデジタルコンテンツ画像を携帯データ端末にストリーミング配信する画像配信処理と、ストリーミング配信しているデジタルコンテンツ画像に内包されているフリーテキストデータへの編集処理要求を編集管理データにより携帯データ端末から受信する編集受信処理と、受信された編集処理要求の編集管理データに対応したフリーテキストデータを携帯データ端末に返信する編集返信処理と、返信して編集処理されたフリーテキストデータを編集処理に対応した編集管理データとともに受信するテキスト受信処理と、受信に対応して保存されているデジタルコンテンツデータとデジタルコンテンツ画像と編集管理データとを編集処理するデータ同期処理と、をファイルサーバ装置に実行させる。
【００１９】
本発明の第一のデータ処理方法は、携帯データ端末と相互通信するファイルサーバ装置のデータ処理方法であって、編集自在なフリーテキストデータを内包したデジタルコンテンツデータを保存するコンテンツ保存動作と、保存されるデジタルコンテンツデータからフリーテキストデータの編集処理に必要な所定の編集管理データを抽出する編集抽出動作と、保存されるデジタルコンテンツデータを携帯データ端末では編集不能なデジタルコンテンツ画像に変換するコンテンツ変換動作と、変換されたデジタルコンテンツ画像と抽出された編集管理データとをデジタルコンテンツデータごとに保持するデータ保持動作と、携帯データ端末からデジタルコンテンツデータのデータ閲覧要求を受信する閲覧受信動作と、受信されたデータ閲覧要求に対応してデジタルコンテンツ画像を読み出すコンテンツ読出動作と、読み出されたデジタルコンテンツ画像を携帯データ端末にストリーミング配信する画像配信動作と、ストリーミング配信しているデジタルコンテンツ画像に内包されているフリーテキストデータへの編集処理要求を編集管理データにより携帯データ端末から受信する編集受信動作と、受信された編集処理要求の編集管理データに対応したフリーテキストデータを携帯データ端末に返信する編集返信動作と、返信して編集処理されたフリーテキストデータを編集処理に対応した編集管理データとともに受信するテキスト受信動作と、受信に対応して保存されているデジタルコンテンツデータとデジタルコンテンツ画像と編集管理データとを編集処理するデータ同期動作と、を有する。
【００２０】
本発明の第二のデータ処理方法は、携帯データ端末と相互通信するファイルサーバ装置のデータ処理方法であって、編集自在なフリーテキストデータを内包したデジタルコンテンツデータを保存するコンテンツ保存動作と、保存されるデジタルコンテンツデータからフリーテキストデータの編集処理に必要な所定の編集管理データを抽出する編集抽出動作と、抽出された編集管理データをデジタルコンテンツデータごとに保持する編集管理動作と、携帯データ端末からデジタルコンテンツデータのデータ閲覧要求を受信する閲覧受信動作と、受信されたデータ閲覧要求に対応してデジタルコンテンツデータを読み出すコンテンツ読出動作と、読み出されたデジタルコンテンツデータを携帯データ端末では編集不能なデジタルコンテンツ画像に変換するコンテンツ変換動作と、変換されたデジタルコンテンツ画像を携帯データ端末にストリーミング配信する画像配信動作と、ストリーミング配信しているデジタルコンテンツ画像に内包されているフリーテキストデータへの編集処理要求を編集管理データにより携帯データ端末から受信する編集受信動作と、受信された編集処理要求の編集管理データに対応したフリーテキストデータを携帯データ端末に返信する編集返信動作と、返信して編集処理されたフリーテキストデータを編集処理に対応した編集管理データとともに受信するテキスト受信動作と、受信に対応して保存されているデジタルコンテンツデータとデジタルコンテンツ画像と編集管理データとを編集処理するデータ同期動作と、を有する。
【００２１】
なお、本発明の各種の構成要素は、その機能を実現するように形成されていればよく、例えば、所定の機能を発揮する専用のハードウェア、所定の機能がコンピュータプログラムにより付与されたファイルサーバ装置、コンピュータプログラムによりファイルサーバ装置に実現された所定の機能、これらの任意の組み合わせ、等として実現することができる。
【００２２】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２３】
また、本発明のコンピュータプログラムおよびデータ処理方法は、複数の処理および動作を順番に記載してあるが、その記載の順番は複数の処理および複数の動作を実行する順番を限定するものではない。
【００２４】
このため、本発明のコンピュータプログラムおよびデータ処理方法を実施するときには、その複数の処理および複数の動作の順番は内容的に支障しない範囲で変更することができる。
【００２５】
さらに、本発明のコンピュータプログラムおよびデータ処理方法は、複数の処理および複数の動作が個々に相違するタイミングで実行されることに限定されない。このため、ある処理および動作の実行中に他の処理および動作が発生すること、ある処理および動作の実行タイミングと他の処理および動作の実行タイミングとの一部ないし全部が重複していること、等でもよい。
【００２６】
また、本発明で云うファイルサーバ装置は、コンピュータプログラムを読み取って対応する処理動作を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の処理動作を実行するように構築された専用の論理回路、これらの組み合わせ、等として実施することができる。
【００２７】
なお、本発明でコンピュータプログラムに対応した各種動作をファイルサーバ装置に実行させることは、各種デバイスをファイルサーバ装置に動作制御させることなども意味している。
【００２８】
例えば、ファイルサーバ装置に各種データを記憶させることは、ファイルサーバ装置に固定されているＨＤＤ（Hard Disc Drive）等の情報記憶媒体にＣＰＵが各種データを格納すること、ファイルサーバ装置に交換自在に装填されているＣＤ−Ｒ（Compact Disc-Recordable）等の情報記憶媒体にＣＰＵがＣＤドライブで各種データを格納すること、等を許容する。
【発明の効果】
【００２９】
本発明のファイルサーバ装置では、編集自在なフリーテキストデータを内包したデジタルコンテンツデータをコンテンツ保存手段が保存する。保存されるデジタルコンテンツデータからフリーテキストデータの編集処理に必要な所定の編集管理データを編集抽出手段が抽出する。保存されるデジタルコンテンツデータを携帯データ端末では編集不能なデジタルコンテンツ画像にコンテンツ変換手段が変換する。変換されたデジタルコンテンツ画像と抽出された編集管理データとをデジタルコンテンツデータごとにデータ保持手段が保持する。携帯データ端末からデジタルコンテンツデータのデータ閲覧要求を閲覧受信手段が受信する。受信されたデータ閲覧要求に対応してデジタルコンテンツ画像をコンテンツ読出手段が読み出す。読み出されたデジタルコンテンツ画像を携帯データ端末に画像配信手段がストリーミング配信する。または、デジタルコンテンツ画像は常時保存されず、受信されたデータ閲覧要求に対応してデジタルコンテンツデータをコンテンツ読出手段が読み出す。読み出されたデジタルコンテンツデータを携帯データ端末では編集不能なデジタルコンテンツ画像にコンテンツ変換手段が変換する。変換されたデジタルコンテンツ画像を携帯データ端末に画像配信手段がストリーミング配信する。ストリーミング配信しているデジタルコンテンツ画像に内包されているフリーテキストデータへの編集処理要求を編集管理データにより携帯データ端末から編集受信手段が受信する。受信された編集処理要求の編集管理データに対応したフリーテキストデータを携帯データ端末に編集返信手段が返信する。返信して編集処理されたフリーテキストデータを編集処理に対応した編集管理データとともにテキスト受信手段が受信する。受信に対応して保存されているデジタルコンテンツデータとデジタルコンテンツ画像と編集管理データとをデータ同期手段が編集処理する。従って、いわゆる携帯電話端末などの簡易な携帯データ端末でも、複雑なデジタルコンテンツデータをデジタルコンテンツ画像として閲覧することができる。デジタルコンテンツ画像は携帯データ端末で編集処理できない画像形式でストリーミング配信されるので、その携帯データ端末での不正利用が良好に防止される。しかし、このようにデジタルコンテンツ画像の不正利用を防止しながらも、デジタルコンテンツデータのフリーテキストデータを携帯データ端末で簡単に編集処理することができる。
【図面の簡単な説明】
【００３０】
【図１】本発明の実施の形態のデータ処理システムの論理構造を示す模式的なブロック図である。
【図２】データ処理システムの物理構造を示すブロック図である。
【図３】ファイルサーバ装置にデジタルコンテンツデータが登録される状態を示す模式図である。
【図４】ファイルサーバ装置の各種のデータベースを示す模式図である。
【図５】ファイルサーバ装置によるデータ処理方法の前半部を示すタイムチャートである。
【図６】後半部を示すタイムチャートである。
【発明を実施するための形態】
【００３１】
本発明の実施の一形態を図面を参照して以下に説明する。本実施の形態のデータ処理システム１０００は、例えば、図１および図２に示すように、複数の利用者が個々に携帯する携帯データ端末である携帯電話端末３００と、企業などに設置されたファイルサーバ装置１００と、を有する。
【００３２】
本実施の形態のファイルサーバ装置１００は、携帯電話端末３００と相互通信する。本実施の形態のファイルサーバ装置１００は、図１に示すように、編集自在なフリーテキストデータＦＴＤを内包したデジタルコンテンツデータＤＣＤを保存するコンテンツ保存部１１０と、保存されるデジタルコンテンツデータＤＣＤからフリーテキストデータＦＴＤの編集処理に必要な所定の編集管理データＥＭＤを抽出する編集抽出部１２０と、保存されるデジタルコンテンツデータＤＣＤを携帯電話端末３００では編集不能なデジタルコンテンツ画像ＤＣＰに変換するコンテンツ変換部１３０と、変換されたデジタルコンテンツ画像ＤＣＰと抽出された編集管理データＥＭＤとをデジタルコンテンツデータＤＣＤごとに保持するデータ保持部１４０と、携帯電話端末３００からデジタルコンテンツデータＤＣＤのデータ閲覧要求ＤＰＲを受信する閲覧受信部１５０と、受信されたデータ閲覧要求ＤＰＲに対応してデジタルコンテンツ画像ＤＣＰを読み出すコンテンツ読出部１６０と、読み出されたデジタルコンテンツ画像ＤＣＰを携帯電話端末３００にストリーミング配信する画像配信部１７０と、ストリーミング配信しているデジタルコンテンツ画像ＤＣＰに内包されているフリーテキストデータＦＴＤへの編集処理要求ＥＣＲを編集管理データＥＭＤにより携帯電話端末３００から受信する編集受信部１８０と、受信された編集処理要求ＥＣＲの編集管理データＥＭＤに対応したフリーテキストデータＦＴＤを携帯電話端末３００に返信する編集返信部１９０と、返信して編集処理されたフリーテキストデータＦＴＤを編集処理に対応した編集管理データＥＭＤとともに受信するテキスト受信部２００と、受信に対応して保存されているデジタルコンテンツデータＤＣＤとデジタルコンテンツ画像ＤＣＰと編集管理データＥＭＤとを編集処理するデータ同期部２１０と、を有する。
【００３３】
なお、画像配信部１７０は、デジタルコンテンツ画像ＤＣＰとともに編集管理データＥＭＤの少なくとも一部も携帯電話端末３００に送信し、編集受信部１８０は、送信した編集管理データＥＭＤにより編集処理要求ＥＣＲを携帯電話端末３００から受信する。
【００３４】
また、本実施の形態のファイルサーバ装置１００では、画像配信部１７０は、編集処理されたデジタルコンテンツ画像ＤＣＰを再送する。このようなファイルサーバ装置１００と相互通信する携帯電話端末３００は制限されており、ファイルサーバ装置１００と相互通信するための専用のアプリケーションプログラムが実装されている。
【００３５】
当然ながら、ファイルサーバ装置１００にも、携帯電話端末３００と相互通信することができ、上述のような各部１１０〜を各種機能として実現するコンピュータプログラムが実装されている。
【００３６】
上述のようなファイルサーバ装置１００のコンピュータプログラムは、例えば、編集自在なフリーテキストデータＦＴＤを内包したデジタルコンテンツデータＤＣＤを保存するコンテンツ保存処理と、保存されるデジタルコンテンツデータＤＣＤからフリーテキストデータＦＴＤの編集処理に必要な所定の編集管理データＥＭＤを抽出する編集抽出処理と、保存されるデジタルコンテンツデータＤＣＤを携帯電話端末３００では編集不能なデジタルコンテンツ画像ＤＣＰに変換するコンテンツ変換処理と、変換されたデジタルコンテンツ画像ＤＣＰと抽出された編集管理データＥＭＤとをデジタルコンテンツデータＤＣＤごとに保持するデータ保持処理と、携帯電話端末３００からデジタルコンテンツデータＤＣＤのデータ閲覧要求ＤＰＲを受信する閲覧受信処理と、受信されたデータ閲覧要求ＤＰＲに対応してデジタルコンテンツ画像ＤＣＰを読み出すコンテンツ読出処理と、読み出されたデジタルコンテンツ画像ＤＣＰを携帯電話端末３００にストリーミング配信する画像配信処理と、ストリーミング配信しているデジタルコンテンツ画像ＤＣＰに内包されているフリーテキストデータＦＴＤへの編集処理要求ＥＣＲを編集管理データＥＭＤにより携帯電話端末３００から受信する編集受信処理と、受信された編集処理要求ＥＣＲの編集管理データＥＭＤに対応したフリーテキストデータＦＴＤを携帯電話端末３００に返信する編集返信処理と、返信して編集処理されたフリーテキストデータＦＴＤを編集処理に対応した編集管理データＥＭＤとともに受信するテキスト受信処理と、受信に対応して保存されているデジタルコンテンツデータＤＣＤとデジタルコンテンツ画像ＤＣＰと編集管理データＥＭＤとを編集処理するデータ同期処理と、をファイルサーバ装置１００に実行させるように記述されている。
【００３７】
上述のような構成において、本実施の形態のファイルサーバ装置１００によるデータ処理方法を、より具体的に以下に説明する。まず、本実施の形態のファイルサーバ装置１００では、図３および図５に示すように、フリーテキストデータＦＴＤを内包したデジタルコンテンツデータＤＣＤとして、例えば、文書ファイルデータなどが外部の携帯電話端末３００の利用者から登録される。
【００３８】
すると、図４および図５に示すように、そのデジタルコンテンツデータＤＣＤは、例えば、所定フォーマットのファイル名が付与されるなどして、専用の文書管理データベースに保存される。
【００３９】
このとき、デジタルコンテンツデータＤＣＤは、図３および図５に示すように、ＪＰＥＧなどの閲覧容易で編集困難な所定フォーマットのデジタルコンテンツ画像ＤＣＰに変換され、図４および図５に示すように、上述のファイル名が付与されて専用の画像管理データベースに格納される。
【００４０】
このとき、デジタルコンテンツデータＤＣＤは、ページごとにデジタルコンテンツ画像ＤＣＰに変換され、そのページごとにスライド番号がシリアルナンバとして付与される。
【００４１】
さらに、図３および図５に示すように、そのデジタルコンテンツデータＤＣＤからフリーテキストデータＦＴＤの編集処理に必要な所定の編集管理データＥＭＤが抽出され、図４および図５に示すように、上述のファイル名が付与されて専用のテキスト情報管理データベースに格納される。
【００４２】
抽出された編集管理データＥＭＤは、例えば、ファイル名、画像変換された場合のページ数となるスライド番号、画像変換された場合のフリーテキストデータＦＴＤの位置を示す編集番号および範囲座標、フリーテキストデータＦＴＤのフォントや書式設定、等からなる。
【００４３】
さらに、図４に示すように、本実施の形態のファイルサーバ装置１００は、表示画像管理データベースも有し、詳細には後述するが、図５に示すように、上述の画像管理データベースから取得されて携帯電話端末３００に提供されるデジタルコンテンツ画像ＤＣＰも管理する。
【００４４】
そこで、上述のような状態で携帯電話端末３００の利用者が特定のデジタルコンテンツデータＤＣＤを閲覧したい場合、所定のアプリケーションソフトとして事前に実装されているコンテンツ閲覧ソフトを起動する(図示せず)。
【００４５】
そのコンテンツ閲覧ソフトは、例えば、デジタルコンテンツデータＤＣＤのファイル名およびスライド番号を指定するユーザインターフェイスを携帯電話端末３００のディスプレイユニットに表示出力する(図示せず)。
【００４６】
そこで、図５に示すように、利用者が所望によりデジタルコンテンツデータＤＣＤのファイル名およびスライド番号をデータ閲覧要求ＤＰＲとともにファイルサーバ装置１００に送信する。
【００４７】
すると、これを受信したファイルサーバ装置１００では、受信されたデータ閲覧要求ＤＰＲとファイル名およびスライド番号に対応してデジタルコンテンツ画像ＤＣＰを読み出す。
【００４８】
ファイル名およびスライド番号に対応して読み出されたデジタルコンテンツ画像ＤＣＰがファイルサーバ装置１００から携帯電話端末３００にストリーミング配信されるので、利用者は所望のデジタルコンテンツデータＤＣＤの所望部分を編集不能に閲覧することができる。
【００４９】
このため、利用者の不適な編集処理を防止しながら、デジタルコンテンツデータＤＣＤを利用者に閲覧させることができる。しかし、このような状態で利用者が適正にデジタルコンテンツデータＤＣＤのフリーテキストデータＦＴＤを編集したい場合もある。
【００５０】
そこで、このような場合には、利用者は携帯電話端末３００でデジタルコンテンツ画像ＤＣＰに内包されているフリーテキストデータＦＴＤへの編集処理要求ＥＣＲをファイルサーバ装置１００に送信する。
【００５１】
すると、これを受信したファイルサーバ装置１００では、受信された編集処理要求ＥＣＲの編集管理データＥＭＤに対応したフリーテキストデータＦＴＤを携帯電話端末３００に返信する。
【００５２】
そこで、携帯電話端末３００の利用者は、図６に示すように、表示出力されたフリーテキストデータＦＴＤを所望により編集処理してから、所定の編集管理データＥＭＤとともにファイルサーバ装置１００に返信する。
【００５３】
このファイルサーバ装置１００では、受信した編集管理データＥＭＤにより編集処理されたフリーテキストデータＦＴＤを特定し、登録されているフリーテキストデータＦＴＤを更新する。
【００５４】
さらに、このフリーテキストデータＦＴＤに対応してデジタルコンテンツデータＤＣＤとデジタルコンテンツ画像ＤＣＰも生成し、これらも更新することにより、データ不整合を防止する。
【００５５】
上述の各種処理を完了したファイルサーバ装置１００では、編集処理されたフリーテキストデータＦＴＤに対応したデジタルコンテンツ画像ＤＣＰを携帯電話端末３００に再送する。このため、利用者は携帯電話端末３００によりデジタルコンテンツデータＤＣＤが適正に編集処理されたことを確認することになる。
【００５６】
本実施の形態のデータ処理システム１０００では、上述のように、いわゆる携帯電話端末３００などの簡易な携帯データ端末でも、複雑なデジタルコンテンツデータＤＣＤをデジタルコンテンツ画像ＤＣＰとして閲覧することができる。
【００５７】
その場合、デジタルコンテンツ画像ＤＣＰは携帯電話端末３００で編集処理できない画像形式でストリーミング配信されるので、その携帯電話端末３００での不正利用が良好に防止される。
【００５８】
しかし、このようにデジタルコンテンツ画像ＤＣＰの不正利用を防止しながらも、デジタルコンテンツデータＤＣＤのフリーテキストデータＦＴＤを携帯電話端末３００で簡単に編集処理することができる。
【００５９】
なお、本発明は本実施の形態に限定されるものではなく、その要旨を逸脱しない範囲で各種の変形を許容する。例えば、上記形態ではデジタルコンテンツデータＤＣＤが登録されるごとに、デジタルコンテンツ画像ＤＣＰが生成されて登録されることを例示した。
【００６０】
しかし、デジタルコンテンツ画像ＤＣＰは常時保存されず、受信されたデータ閲覧要求ＤＰＲに対応してデジタルコンテンツデータＤＣＤを読み出し、読み出されたデジタルコンテンツデータＤＣＤを携帯電話端末３００では編集不能なデジタルコンテンツ画像ＤＣＰに変換し、変換されたデジタルコンテンツ画像ＤＣＰを携帯電話端末３００にストリーミング配信してもよい。
【００６１】
この場合、携帯電話端末３００で閲覧が要求された場合に必要なデジタルコンテンツデータＤＣＤのみデジタルコンテンツ画像ＤＣＰに変換するので、事前にデジタルコンテンツデータＤＣＤの全部をデジタルコンテンツ画像ＤＣＰに変換しておく必要がない。
【００６２】
また、本実施の形態では、デジタルコンテンツ画像ＤＣＰを閲覧自在かつ編集不能な携帯データ端末として一般的な携帯電話端末３００を想定した。しかし、このような携帯データ端末が、電子辞書や携帯ゲーム機からなってもよい（図示せず）。
【００６３】
さらに、本実施の形態ではファイルサーバ装置の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【００６４】
また、上記形態ではファイルサーバ装置１００と携帯電話端末３００とがデータ通信するデータネットワークとして、現状の携帯電話ネットワークやインターネットを想定した。しかし、これが次世代のインターネットであるＮＧＮ（Next Generation Network）でもよい。
【００６５】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００６６】
１００    ファイルサーバ装置
１１０    コンテンツ保存部
１２０    編集抽出部
１３０    コンテンツ変換部
１４０    データ保持部
１５０    閲覧受信部
１６０    コンテンツ読出部
１７０    画像配信部
１８０    編集受信部
１９０    編集返信部
２００    テキスト受信部
２１０    データ同期部
３００    携帯電話端末
１０００    データ処理システム
ＤＣＤ    デジタルコンテンツデータ
ＤＣＰ    デジタルコンテンツ画像
ＤＰＲ    データ閲覧要求
ＥＣＲ    編集処理要求
ＥＭＤ    編集管理データ
ＦＴＤ    フリーテキストデータ
【図１】
2011008690.tif 000003
【図２】
2011008690.tif 000004
【図３】
2011008690.tif 000005
【図４】
2011008690.tif 000006
【図５】
2011008690.tif 000007
【図６】
2011008690.tif 000008